(57)【要約】      （修正有）【課題】服薬の検知を薬入れの蓋の開閉に頼ることなく、薬の容器包装を開封する音により服薬を検知することで、薬の飲み忘れを防止するための通知装置及び通知方法を提供する。【解決手段】容器包装を開封する特徴的な音は、音電気変換装置１１により音を電気に変換しマイクロコントローラ１３へ入力する。マイクロコントローラは、服薬予定時間帯情報１２による予定期間が過ぎても薬の容器包装を開封する特徴的な音を検知されない場合に、薬の飲み忘れが発生したとして通知出力を行う。薬の容器包装を開封する特徴的な音の認識には、多層構造のニューラルネットワークを利用したディープラーニングを用いる。【選択図】図１
2017136286.tif 000002
【特許請求の範囲】
【請求項１】
音を入力し電気信号を出力する音電気変換装置と、服薬予定時間帯情報と、前記音電気変換装置が出力する電気信号と前記服薬予定時間帯情報とを比較するマイクロコントローラを有し、前記服薬予定時間帯に薬の容器包装を開封する音が検知されない場合に通知出力することを特徴とする服薬通知装置。
【請求項２】
薬の容器包装を開封する音が検知されたあと、ある所定時間内に薬の容器包装を開封する音が再度検知された場合に通知出力することを特徴とする請求項１に記載の服薬通知装置。
【請求項３】
音電気変換装置は、マイクロフォンとＡ／Ｄ変換器である請求項１に記載の服薬通知装置。
【請求項４】
音電気変換装置は、振動計である請求項１に記載の服薬通知装置。
【請求項５】
服薬予定時間帯情報は、インターネットから取得した情報である請求項１に記載の服薬通知装置。
【請求項６】
音を入力し電気信号を出力する音電気変換ステップと、前記電気信号と服薬予定時間帯情報とを比較するステップと、前記服薬予定時間帯に薬の容器包装を開封する音が検知されない場合に通知出力するステップを含む服薬通知方法。
【請求項７】
薬の容器包装を開封する音が検知されたあと、ある所定時間内に薬の容器包装を開封する音が再度検知された場合に通知出力するステップを含む請求項６に記載の服薬通知装置。
【請求項８】
音が検知された時間を記録することで、服薬予定時間帯情報を補正する請求項１又は２に記載の服薬通知装置。
【請求項９】
補正は週の曜日ごとに別個に最適化する請求項８に記載の服薬通知装置。
【請求項１０】
音が検知された時間を記録することで、服薬予定時間帯情報を補正する請求項６又は７に記載の服薬通知方法。
【請求項１１】
補正は週の曜日ごとに別個に最適化する請求項１０に記載の服薬通知方法。
【発明の詳細な説明】
【技術分野】
【０００１】
本発明は、薬の飲み忘れを防止するための通知装置及び通知方法に関するものである。
【背景技術】
【０００２】
薬は、決められた時間に服用することが求められるが、日常生活において多くの人は、決められた時間に薬を服用することを忘れてしまうという問題点がある。
【０００３】
その問題に対し、実開昭６４−４３９３０号公報に提示されているように、薬入れに内蔵したタイマーにより服用時刻をアラームにより警告するものが知られている。
【０００４】
また、特開２００４−３２９３９９号公報に提示されているように、薬入れの蓋に備えられた開閉センサにより、蓋の開閉操作を検知して服用時刻に蓋を開閉しないときに警告を発する薬箱が知られている。
【０００５】
加えて、特開２００４−３２９３９９号公報では、服薬予定時刻の設定の設定及び変更を自動的に行う手法が開示されている。
【０００６】
しかしながら、特許文献１及び特許文献２は薬入れを必要とするという問題点があった。
【先行技術文献】
【特許文献】
【０００７】
【特許文献１】実開昭６４−４３９３０号公報
【特許文献２】特開２００４−３２９３９９号公報
【発明の概要】
【発明が解決しようとする課題】
【０００８】
解決しようとする課題は、服薬の検知を薬入れの蓋の開閉に頼っている点である。
【課題を解決するための手段】
【０００９】
本発明は、薬の容器包装（例えば、ＰＴＰシート）を開封する音により服薬を検知する。そのため、薬入れの蓋の開閉に頼らず服薬を検知できるため、薬入れ自体を必要とすることが無いことを最も主要な特徴とする。
【発明の効果】
【００１０】
本発明の通知装置及び通知方法は、容器包装を開封する特徴的な音により服薬を検知するため、薬入れの蓋に配置した開閉センサでは、薬の補充行為による蓋の開け閉めを検知してしまうのに対し、本発明は確実に薬の容器包装の開封による服薬を検知することができるという利点がある。このように容器包装を開封する特徴的な音により服薬を検出する構成とすることで、薬入れ自体を必要とすることが無い。
【図面の簡単な説明】
【００１１】
【図１】図１は服薬通知装置のブロック図である。
【発明を実施するための形態】
【００１２】
薬の容器包装には、ＰＴＰシートや分包袋、包装袋等が存在する。例えば、多くの薬剤において採用されているＰＴＰシートは、錠剤やカプセルをプラスチックとアルミで挟んだシート状のものである。ＰＴＰシートは、プラスチック部分を強く押す事でアルミが破け、中の薬が1錠ずつ取り出される仕組みになっている。本発明は、この容器包装を開封する特徴的な音に着目したものである。
【実施例１】
【００１３】
図１は、服薬通知装置のブロック図である。１１は音電気変換装置であり、音を電気に変換する装置である。１１は、例えばマイクロフォンとＡ／Ｄ変換器によって構成される。１２は服薬予定時間帯情報であり、例えばフラッシュメモリーに記憶された情報である。１３はマイクロコントローラであり、コンピュータシステムを集積回路に組み込んだものである。
【００１４】
音電気変換装置１１により音を電気に変換しマイクロコントローラ１３へ入力する。服薬予定時間帯情報１２に、朝８時〜朝９時と記録されていた場合において、朝９時を過ぎても薬の容器包装を開封する特徴的な音を検知されない場合に、薬の飲み忘れが発生したとしてマイクロコントローラ１３は通知出力を行う。朝８時〜朝９時の間に薬の容器包装を開封する特徴的な音が検知された場合には、正常に服薬が行われたとしてマイクロコントローラ１３は通知出力を行われない。
【００１５】
音電気変換装置１１は、マイクロフォンとＡ／Ｄ変換器、加速度センサ、又は振動計、によって構成される。
【００１６】
服薬予定時間帯情報１２は、例えばマイクロコントローラ１３と同一の半導体パッケージに格納されるフラッシュメモリーや、クラウドサーバー内のデータベースに格納された情報である。ここで、時間帯情報とは１日の中で、ある時刻からある時刻までの時間である。
【００１７】
マイクロコントローラ１３は、ＣＰＵやメモリを１つのLSIチップに集積したマイコンや、ＭＰＵ（マイクロ・プロセッシング・ユニット）である。ここで、薬の容器包装を開封する特徴的な音の認識には、多層構造のニューラルネットワークを利用した深層学習、いわゆるディープラーニングを用いる。
【００１８】
なお、朝８時〜朝９時に薬の容器包装を開封する特徴的な音が複数検知された場合には、薬の二度飲みが発生したとしての通知を行うことにより、薬の二度飲みを防止する効果を発揮する。なお、容器包装を開封する特徴的な音としては、ＰＴＰシートのプラスチック部分を強く押す事でアルミが破ける音でもよいし、粉薬の包装袋が破ける音、ＰＴＰシートのミシン目が切り離された音とアルミが破ける音であってもよい。なお、服薬予定時間帯情報１２は、朝・昼・晩・就寝前等をスイッチで設定する構成としてもよい。なお、通知出力は、スピーカ出力、ＬＥＤ発光、液晶表示、インターネットへのデータ送信を行ってもよい。また、薬の容器包装を開封する特徴的な音の検知精度を向上させるために、実際に薬を開封した際、若しくは薬を開封していないが検知出力が発生した際に、明示的に音電気変換装置１１に所定の音を入力することで検知精度の補正を行う構成としてもよい。
【００１９】
本発明の服薬通知装置は、卓上装置等が想定されるが、薬袋付近にクリップ状で固定させる装置、腕時計に内蔵される装置、スマートフォンに内蔵される装置、又はベルト等に固定したウェアラブル装置であってもよい。
【００２０】
さらには、本発明にて服薬時間が把握できることから、その服薬時間を用いて服薬予定時間帯情報１２の補正を行ってもよい。具体的には、服薬予定時間帯情報１２に、朝８時〜朝９時と記録されていた場合において、実際の服薬時間が朝７時５０分であった場合に、服薬予定時間帯情報１２を、朝７時５０分〜朝８時５０分に補正する等である。加えて、補正の対象は、翌日でもよいが、同じ曜日の翌週とすることで週間予定に沿った補正がなされる。
【産業上の利用可能性】
【００２１】
本発明は、薬の飲み忘れを防止するための通知装置及び通知方法であり、特に高齢者において利用の必要性が高く、産業上の利用可能性を有する。
【符号の説明】
【００２２】
１１    音電気変換装置
１２    服薬予定時間帯情報
１３    マイクロコントローラ
【図１】
2017136286.tif 000003